(57)【要約】  本発明は、閉鎖機構を収容するためのケーシングを備えたフロアスプリングであって、ケーシングが、ドアまたはこれに類するものを支持するフロアスプリング軸（１０）の領域でカバー構成部分によってカバーされている形式のものに関する。フロアスプリングが差込み軸または固定軸を有しているかどうかに関わらず、また、カバープレート（１２）がセメントボックス（１４）またはフロアスプリングのケーシングに固定されているかに関わらず自在に使用することができ、製造者による前組付けを必要とせず、既に組み付けられたドアにおいても後から組み込むことができるような、フロアスプリングのためのカバー構成部分を提供するために、本発明によればカバー構成部分が２部分から形成されていて、ほぼＵ字形の基部（１）と、該基部（１）内に挿入可能な挿入体（２）とから成っている。
2007503537.tif 000002
【特許請求の範囲】
【請求項１】
閉鎖機構を収容するためのケーシングを備えたフロアスプリングであって、ケーシングが、ドアまたはこれに類するものを支持するフロアスプリング軸の領域でカバー構成部分によってカバーされている形式のものにおいて、
カバー構成部分が２部分から形成されていて、ほぼＵ字形の基部（１）と、該基部（１）内に挿入可能な挿入体（２）とから成っていることを特徴とするフロアスプリング。
【請求項２】
基部（１）と挿入体（２）とが組み付けられた状態で、ほぼ方形の外輪郭を有している、請求項１記載のフロアスプリング。
【請求項３】
基部（１）がほぼ扁平状に挿入体（２）に挿入可能である、請求項１又は２記載のフロアスプリング。
【請求項４】
挿入体（２）が基部（１）に、フロアスプリング軸を貫通させるための円形の開口部が生じるように挿入可能である、請求項１から３までのいずれか１項記載のフロアスプリング。
【請求項５】
Ｕ字形の基部（１）の開かれた側が挿入体（２）に被せ嵌め可能である、請求項１から４までのいずれか１項記載のフロアスプリング。
【請求項６】
基部（１）の、挿入体（２）に係合する内縁部に、凹状に成形された半円形の、長手方向で延びる凹部（３）が設けられている、請求項１から５までのいずれか１項記載のフロアスプリング。
【請求項７】
挿入体（２）の外縁部に側方で外部に向かって突出する翼（６）が設けられており、該翼（６）が、基部（１）の内縁部に設けられた凹部（３）に係合する、請求項１から６までのいずれか１項記載のフロアスプリング。
【請求項８】
基部（１）及び挿入体（２）の、フロアスプリング軸（１０）に面した領域に、半円形の輪郭部（４，４ａ）が設けられており、その形状がシールリップ（５，５ａ）として形成されていて、このシールリップが、フロアスプリング軸（１０）に設けられた溝に係合する、請求項１から７までのいずれか１項記載のフロアスプリング。
【請求項９】
シールリップ（５，５ａ）が傾斜して上方に向けられている、請求項１から８までのいずれか１項記載のフロアスプリング。
【請求項１０】
挿入体（２）が外縁部の後方領域に、それぞれ１つの切欠（７）を有していて、該切欠（７）が、基部（１）の内縁部に設けられたそれぞれ１つの係止突起（８）に係止可能である、請求項１から９までのいずれか１項記載のフロアスプリング。
【請求項１１】
基部（１）に導入斜面（１１）が設けられている、請求項１から１０までのいずれか１項記載のフロアスプリング。
【請求項１２】
挿入体（２）と基部（１）とが、フロアスプリング軸（１０）とは反対側の端部に目標破断個所（１６，１６ａ）を有している、請求項１から１１までのいずれか１項記載のフロアスプリング。
【請求項１３】
挿入体（２）が基部（１）よりも僅かな厚さを有している、請求項１から１２までのいずれか１項記載のフロアスプリング。
【請求項１４】
基部（１）と挿入体（２）とが射出成形部品としてプラスチック、特にＰＯＭから製造されている、請求項１から１３までのいずれか１項記載のフロアスプリング。
【発明の詳細な説明】
【技術分野】
【０００１】
本発明は、閉鎖機構を収容するためのケーシングを備えたフロアスプリングであって、ケーシングが、ドアまたはこれに類するものを支持するフロアスプリング軸の領域でカバー構成部分によってカバーされている形式のものに関する。
【０００２】
このようなフロアスプリングは広く知られている。このフロアスプリングはケーシングを有しており、このケーシングは、フロアに設けられた切欠に挿入可能なセメントボックスによって取り囲まれている。内部に位置するフロアスプリングを備えたセメントボックス全体は上方に向かってカバープレートによってカバーされていので、外部からはこのカバープレートしか見えない。カバープレートはドアまたはこれに類似のものをフロアスプリングに組み付けた後に初めて、またさらには、フロアスプリングの例えば閉鎖速度を調節してから初めて組み付けることができるので、カバープレートは、フロアスプリング軸の側方を通ってフロアスプリングのケーシングに組み付けるために、端面に長手方向で延びる長孔を有していなければならない。
【０００３】
カバープレートはセメントボックスまたはフロアスプリングのケーシングに固定することができる。フロアスプリングのケーシングがセメントボックスにおいて平面の４つ全ての方向で調節できなければならないので、カバープレートをセメントボックスまたはケーシングに固定する上記種々様々な手段と関連して、種々様々な大きさの長孔がカバープレートに形成される。
【０００４】
フロアスプリングのケーシングにカバープレートが固定されていると、カバープレートはケーシングとともに、セメントボックス内のケーシングの調節運動を行うことがある。従って長孔は、カバープレートがフロアスプリング軸の側方を通って組み付けられるような大きさでなければならない。
【０００５】
これに対してカバープレートがセメントボックスに組み付けられていると、カバープレートがセメントボックスに不動に結合されているので、ケーシングは調節運動の際にカバープレートに対して相対運動を行う。この場合も、ケーシングの完全な調節を保証するために、長孔を付加的な調節距離だけ拡大しなければならない。何故ならばさもないと、フロアスプリング軸がカバープレートに衝突することがあるからである。
【０００６】
さらにフロアスプリングと、特にフロアスプリング軸を取り囲むシール部材とを汚染から保護するために、長孔を、単数又は複数の適当なカバー構成部分によってカバーしなければならない。
【０００７】
実際には１つの同じフロアスプリングは差込み軸と一緒にも固定軸と一緒にも使用される。これにより１つの同じフロアスプリングのために、軸の構成およびケーシングもしくはセメントボックスへのカバープレートの固定に応じて種々様々なカバー構成部分が必要となる。このことは製造と在校管理に関して手間を増やす。
【０００８】
現場での顧客による組み付けは種々様々な理由から実績がないので、これらの構成部分は部分的に工場で予め組み付けられることになる。
【０００９】
そこで本発明の課題は、フロアスプリングが差込み軸または固定軸を有しているかどうかに関わらず、また、カバープレートがセメントボックスまたはフロアスプリングのケーシングに固定されているかに関わらず自在に使用することができ、製造者による前組付けを必要とせず、既に組み付けられたドアにおいても後から組み込むことができるようなカバー構成部分を提供することである。
【００１０】
この課題を解決するために本発明の構成では、冒頭で述べた形式のフロアスプリングにおいて、カバー構成部分が２部分から形成されていて、ほぼＵ字形の基部と、該基部内に挿入可能な挿入体とから成っているようにした。
【００１１】
本発明による構成により、フロアスプリングの構造とは関係なく使用でき、製造者による前組み付けが必要なく、既に組み付けられたドアにおいても組み込むことができる、自在に使用可能なカバー構成部分が提供される。
【００１２】
請求項２以下に本発明の別の構成が記載されている。
【００１３】
有利な構成によれば、基部と挿入体とが組み付けられた状態で、ほぼ方形の外輪郭を有している。これにより、両構成部分の簡単かつ安価な製造が可能になり、簡単な保持も保証される。
【００１４】
有利には基部がほぼ扁平状に挿入体に挿入可能であることにより、組み込まれた状態で所要スペースの小さいカバー構成部分が提供される。
【００１５】
有利な構成により、挿入体が基部に、フロアスプリング軸を貫通させるための円形の開口部が生じるように挿入可能であるならば、必要に応じて差込み軸または固定軸を使用することができる。
【００１６】
有利には、Ｕ字形の基部の開かれた側が挿入体に被せ嵌め可能である。これによりカバー構成部分は容易かつ簡単にフロアスプリング軸の周りに組み付けることができる。
【００１７】
有利な構成により、基部の、挿入体に係合する内縁部に、凹状に成形された半円形の、長手方向で延びる凹部が設けられているならば、基部における挿入体のために簡単かつ良好な位置固定手段が形成される。
【００１８】
有利な構成により、挿入体の外縁部に側方で外部に向かって突出する翼が設けられており、該翼が、基部の内縁部に設けられた凹部に係合するならば、位置固定がさらに改善される。
【００１９】
有利には、基部及び挿入体の、フロアスプリング軸に面した領域に、半円形の輪郭部が設けられており、その形状がシールリップとして形成されていて、このシールリップが、フロアスプリング軸に設けられた溝に係合する。このような構成により、不純物の侵入に対する良好な保護が保証されている。このシールリップはラジアルシールの形式で形成することができる。
【００２０】
別の有利な構成により、シールリップが傾斜して上方に向けられているならば、シールリップの端部に、不純物を捕集することができるポケットが生じる。従ってフロアスプリングへの不純物の侵入は効果的に阻止される。
【００２１】
基部と挿入体との良好な位置固定を保証するため胃、特に有利な構成によれば、挿入体が外縁部の後方領域に、それぞれ１つの切欠を有していて、該切欠が、基部の内縁部に設けられたそれぞれ１つの係止突起に係止可能である。
【００２２】
基部と挿入体の容易な導入を可能にするために有利には、基部に導入斜面が設けられている。
【００２３】
有利な別の構成によれば、挿入体と基部とが、フロアスプリング軸とは反対側の端部に目標破断個所を有している。これにより基部と挿入体とを場所的な条件に容易に適合させることができる。
【００２４】
有利には、挿入体が基部よりも僅かな厚さを有している。このような簡単な構成により、基部と挿入体とは唯１つのねじによって堅固にクランプすることができる。挿入体が比較的薄く形成されていることにより、挿入体がねじの締め付け時に基部をクランプ固定するからである。
【００２５】
本発明によるカバー構成部分は有利には、基部と挿入体とが射出成形部品としてプラスチック、特にＰＯＭから製造されている。これにより、部品数が多い場合でも簡単かつ安価な製造が保証される。
【００２６】
本発明によるカバー構成部分のその他の特徴および利点は以下に記載する有利な実施例の説明により明らかである。
【００２７】
本発明によるカバー構成部分は基部１と挿入体２とから成っている。基部１は、図１〜図８に種々様々な角度から見た図が示されていて、挿入体２は図９〜図１３に種々様々な角度から見た図が示されている。
【００２８】
以下にまず基部１について説明する。この基部１は例えば射出成形法によってプラスチック、例えばＰＯＭから製造されている。この基部１は、片側で開かれた縦長の切欠を有するほぼ扁平なプレートとして形成されていて、これにより平面図ではほぼＵ字形の形状が示されている。基部１には切欠の内縁部でそれぞれ、凹部状に成形された半円状の、切欠の長手方向で延びる凹部３が設けられている。切欠の端面は平面図で半円形の輪郭部４で終わっている。この輪郭部４には内側に向けられたシールリップ５が設けられている。このシールリップ５は傾斜して斜め上方に向けられている（図５参照）。プロフィールがラジアルシールのように形成することができるシールリップ５は、フロアスプリングのフロアスプリング軸１０の溝（図示せず）に係合し、汚染物の侵入を防止している。基部１に設けられた切欠の内縁部には、後方領域の全ての側にそれぞれ１つの係止突起８が設けられている。さらに、切欠の内縁部には、基部１と挿入体２の接合を容易にする導入斜面１１が配置されている。基部１をその都度の状況に長手方向で適合させるために、自由端部には複数の目標破断個所１６が設けられていて、この目標破断個所により基部１の脚を簡単に短縮することができる。
【００２９】
図９〜図１３には、基部１に挿入可能な挿入体２が示されている。この挿入体２は基部１と同様にプラスチック射出成形部分、例えばＰＯＭから成っていて、半円形の輪郭部４ａを狭幅側に有したほぼ方形の形状を有している。挿入体２の外縁部には外方に向かって突出する翼６が設けられていて、この翼６は基部１の内縁部に設けられた凹部３に係合可能である。翼６は凹部３に嵌合するような輪郭を有している。基部１における凹部３と挿入体２における翼６とが協働することにより、両部分の良好な固定が得られる。挿入体２の狭幅側における半円形の輪郭部４ａはシールリップ５ａを形成し、基部１に設けられたシールリップ５の輪郭部４の形状に対応する。翼６の領域に、挿入体２の端部領域で切欠７が設けられており、この切欠７は基部１と挿入体２との間の係止のために基部１に設けられた係止突起８に係合可能であって、両部分の相対的な摺動が阻止される。さらに、挿入体２には目標破断個所１６ａが設けられていて、基部１と同様に、場所的な条件に長さを合わせることができる。
【００３０】
図１４及び図１５には、基部１と挿入体２とから成るカバー構成部分が組み付けられた状態で示されている。基部１に設けられた凹部３は挿入体２に設けられた翼６に係合していて、半円形の輪郭部４と４ａは、フロアスプリング軸１０を貫通させるための領域を解放している。図１５により、挿入体２が基部１よりも僅かな高さを有していることがわかる。これにより、高さの差ｈが生じる。その意義については図１７〜図２０につき、さらに後述する。
【００３１】
図１６には、最終的に組み付けられたフロアスプリングの平面図が示されている。この場合、見やすくするためにドアは図示していない。フロアスプリング（図示せず）はカバープレート１２によってカバーされていて、フロアスプリング軸１０は、基部１と挿入体２とから成るカバー構成部分を貫通して延びている。カバー構成部分の挿入体２はねじ９によってフロアスプリングのケーシングに固定されていて、基部１と挿入体２との間の上述した高さの差ｈに基づきカバー構成部分全体をクランプ固定する。
【００３２】
次に図１７〜図２０につき、カバー構成部分の組み付けについて説明する。カバー構成部分が取り付けられると、フロアスプリングのケーシング１５が、床面に設けられたセメントボックス１４に固定され、方向付けられる。
【００３３】
最初に挿入体２が図１７に示したように、例えば上方右側から傾けられて、フロアスプリング軸１０に沿ってスライドされ、図１７に矢印で示したように円弧状に左に向かって、挿入体２がフロアスプリングケーシング１５に対して平行に向けられるまで旋回する。次いで挿入体２がねじ９でケーシング１５に予め固定される。この場合、ねじ９はまだ堅固に締め付けられておらず、即ち、挿入体２はまだ動くことができ、高さ方向で摺動できる。いまや基部１が挿入体２に被せ嵌められ、凹部３が翼６に係合する。挿入運動の終了時に、基部１の係止突起８は挿入体２の切欠７へと係合し、基部１と挿入体２とを１つのユニットとなるように固定する。挿入体２に基部１が係止された後、ねじ９が本締めされ、ひいては基部１は挿入体２を介して堅固にクランプされる。カバー構成部分の規定されたクランプは基部１と挿入体２との間の高さの差ｈにより得られる。挿入体２が基部１よりも小さい高さを有しているので、ねじ９を締め付ける際に挿入体２は下方へと押され、従って同時に基部１をクランプ固定する。ねじ９の締め付け後に、カバープレート１２がこのカバー構成部分の下方に摺動され、固定ねじ１３によってセメントボックス１４もしくはフロアスプリングケーシング１５に固定される。
【００３４】
上述の記載からわかるように、既に装着されたドアでも問題のない組み付けが可能である。同様に、本発明によるカバー構成部分の自在の使用が、差込み軸においても、固定軸においても、セメントボックス１４またはフロアスプリングケーシング１５にカバープレート１２が固定される場合も得られる。
【図面の簡単な説明】
【００３５】
【図１】本発明による基部の平面図である。
【図２】本発明による基部の側方図である。
【図３】図１のＡ−Ａ線に沿った本発明による基部の断面図である。
【図４】本発明による基部の背面図である。
【図５】図３の細部Ｚを示す図である。
【図６】図４の細部Ｗを示す図である。
【図７】本発明による基部を下方から見た図である。
【図８】図７の細部Ｙを示す図である。
【図９】本発明による挿入体の平面図である。
【図１０】本発明による挿入体を下方から見た図である。
【図１１】本発明による挿入体を前方から見た図である。
【図１２】図９のＢ−Ｂ線に沿った本発明による挿入体の横断面である。
【図１３】図１１の細部Ｘを示す図である。
【図１４】嵌め込まれた挿入体を有した基部を上方から見た平面図である。
【図１５】嵌め込まれた挿入体を有した基部を後方から見た図である。
【図１６】基部と挿入体とカバープレートとが組み付けられているフロアスプリングの平面図である。
【図１７】基部と挿入体とカバープレートの１つの組み付け段階を示す図である。
【図１８】基部と挿入体とカバープレートの別の組み付け段階を示す図である。
【図１９】基部と挿入体とカバープレートのさらに別の組み付け段階を示す図である。
【図２０】基部と挿入体とカバープレートのさらに別の組み付け段階を示す図である。
【符号の説明】
【００３６】
１  基部、  ２  挿入体、  ３  凹部、  ４，４ａ  半円形の輪郭部、  ５，５ａ  シールリップ、  ６  翼、  ７  切欠、  ８  係止突起、  ９  ねじ、  １０  フロアスプリング軸、  １１  導入斜面、  １２  カバープレート、  １３  固定ねじ、  １４  セメントボックス、  １５  フロアスプリングケーシング、  １６，１６ａ  目標破断個所、  ｈ  高さの差
【図１】
2007503537.tif 000003
【図２】
2007503537.tif 000004
【図３】
2007503537.tif 000005
【図４】
2007503537.tif 000006
【図５】
2007503537.tif 000007
【図６】
2007503537.tif 000008
【図７】
2007503537.tif 000009
【図８】
2007503537.tif 000010
【図９】
2007503537.tif 000011
【図１０】
2007503537.tif 000012
【図１１】
2007503537.tif 000013
【図１２】
2007503537.tif 000014
【図１３】
2007503537.tif 000015
【図１４】
2007503537.tif 000016
【図１５】
2007503537.tif 000017
【図１６】
2007503537.tif 000018
【図１７】
2007503537.tif 000019
【図１８】
2007503537.tif 000020
【図１９】
2007503537.tif 000021
【図２０】
2007503537.tif 000022
【国際調査報告】
2007503537.tif 000023
2007503537.tif 000024
2007503537.tif 000025
2007503537.tif 000026